(57)【要約】【課題】光りピックアップレンズクリーナー【解決手段】クリーニングディスク１は、光りピックアップレンズに対面する側に清掃部材２を１つ又は複数設け、該クリーニングディスク１を扇状に可動させるために再生装置挿入口より外部へ飛び出す長さを有した平板状操作用部材３を設け、該平板状操作用部材３の先端部に一対に設けた可働軸４が、クリーニングディスク１の外周部近傍の一部を、一定の深さを持った逆Ｖ字状ストッパー５を設けた部分に、支点として嵌合させ対面となるクリーニングディスク１外周先端部に、ディスク挿入記号６が表示構成されクリーニングディスクを回転させず、又挿入口の誤挿入防止用ガードの干渉を受けずに済むよう，反復運動させクリーニングする操作用部材をディスク外端より中心部に寄った部位へディスクと嵌合させ、該操作用部材の一端を指で保持し支点を可動軸とし左右に動かすことにより、光ピックアップレンズのクリーニングが出来る。【選択図】図１
2020042891.tif 000002
【特許請求の範囲】
【請求項１】
光ピックアップ装置の対物レンズを清掃するクリーニングディスクにおいて、該対物レンズを清掃するためのクリーニング部材を少なくとも光ピックアップと対面する側へ１つ、又は複数設けたクリーニングディスクであって該クリーニングディスクは、光ディスク再生装置内で回転させずに光ピックアップレンズをクリーニングする手段として、クリーニング部材を設けたクリーニングディスク外周部近傍の一部へ、該クリーニングディスクを再生装置へ装填後、扇状に稼働させるために再生装置挿入口より外部へ飛び出す長さを有した平板状の操作用部材先端部を該クリーニングディスク上面、又は下面へ該操作用部材とクリーニングディスクがフリーに動くよう嵌合させ、嵌合した状態でクリーニングディスクと操作用部材とが限られた範囲内でのみ連動して稼働する構造としたことを特徴とした光ピックアップクリーナー。
【請求項２】
前記クリーニングディスクと平板状の操作用部材とは嵌合してあり、嵌合された支点１を軸に平板状の操作用部材とクリーニングディスクが一定の範囲内のみで連動して動く構造としてあるが、該クリーニングディスクを再生装置に装填後、平板状操作用部材は再生装置挿入口より外部へ飛び出しているが、飛出し量はディスクを扇状に作動させる為に必要な長さを有してあることを特徴とした請求項１記載の光ピックアップクリーナー。
【請求項３】
前記クリーニングディスクと平板状の操作用部材とを嵌合した状態で、該嵌合部がクリーニングディスク自体の厚みを著しく超え、挿入口への出入りを妨げない範囲までの厚みとする為、ディスクの一部を削り、該部位へ操作用部材とディスクを重ねて嵌合した状態で総厚みがディスクの厚みに限りなく近づくか、又は等しくした構造としたことを特徴とした請求項１及び２記載の光ピックアップクリーナー。
【請求項４】
前記クリーニングディスクと操作用部材を嵌合してある支点を軸に、操作用部材が制約した範囲内でしか可動せぬよう、嵌合部の総厚みをディスクの厚みに近づける為ディスクの一部を削り、削ることで生じた段差の淵の側壁を操作用部材の動きを制約するストッパーとすることを特徴とした請求項１及び２、３記載の光ピックアップクリーナー。
【発明の詳細な説明】
【技術分野】
【０００１】本発明は、光ピックアップのレンズをクリーニングするクリーニングディスクに関するものである。
【背景技術】
【０００２】光ピックアップレンズクリーニング用のディスクには従来から光ディスク、光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接触しクリーニングを行う。
この様にディスクが回転することでクリーニングする方式では、クリーニングディスクに設けられたブラシが対物レンズ以外の再生装置内部のメカ等にも接触する場合が考えられる、その結果メカ部の油や汚れがブラシに付着し、その汚れ等が対物レンズに着くこととなり逆効果となる。
【発明の概要】
【発明が解決しようとする課題】
【０００３】解決しようとする課題は、クリーニングディスクを回転させクリーニングする事で発生し易いレンズクリーニングへの障害をなくす為に、ディスクを回転させずにクリーニングするタイプのクリーナーは既に存在するが、光ディスクを利用したゲーム機専用クリーナーの他、ホーム用、車用のクリーナーにおいては、既に入っているディスクを取り出さず、更に別のディスクを入れるのを防ぐ為の誤挿入防止用ガードが設けてある為、既にディスクが入っている状態では実際の開口部は狭くなっている。その為に該構造のクリーニングディスクは実際よりも可動範囲が狭められてしまい十分なクリーニング効果が得られないこととなってしまう。
【課題を解決するための手段】
【０００４】本発明では、これら従来製品の問題点を解決すべく、クリーニングディスクをプレーヤーへ装填した状態で再生装置のディスク挿入口から外側へ、一定の長さを持った平板状の操作用部材が設けてあり、前記クリーニングディスクと平板状の操作用部材とは嵌合してあるが、操作用部材を単にディスクへ嵌合しただけではディスク表面から突出し、突出部が再生装置挿入口へ出入りする時に障害となるのを防止する為、操作用部材をディスクへ取り付けた状態でディスクの厚みと等しくなるよう操作用部材を取り付けるディスクの一部位を削り操作用部材を取り付けた状態でクリーニングディスクの総厚みを等しくする構造としてあり、該クリーニングディスクを再生装置へ装填し、再生装置挿入口から外へ飛び出している前記クリーニングディスクに設けた平板状操作部材を指で保持し、支点を可動軸とし左右へ動かすことにより、クリーニング部材が光ピックアップレンズ面で反復運動し、回転することなくクリーニングが行われる。クリーニングディスクは平板状操作部材と嵌合され、該嵌合部を支点としてあるが、該支点はディスク外端よりやや中心に近いところへ設けてあるので、誤挿入防止用ガードの干渉を逃れつつ、少ない動作で大きく扇状に動くので可動範囲が大きく取れる利点があり、十分なクリーニング効果が得られる。
【発明の効果】
【０００５】本発明のクリーニングディスクは再生装置内で回転せずに、クリーニング部材が光ピックアップのレンズのみと接触し、クリーニングが出来、又挿入口の誤挿入防止用ガードの干渉を避けつつ、平板状操作用部材をディスク中心部近くに設け、該支点を可動軸とし左右に動かすので、他の方式とは違って少ない動きでディスクの稼働範囲は大きく取れる利点がある。以上のように本発明は、従来製品では不可能であった対物レンズのみを効率よくクリーニングすることを可能とした事に利点がある。
【図面の簡単な説明】
【０００６】
【図１】クリーニングディスクの構成を示す平面図である。
【図２】クリーニングディスク可動部の構成を示すＡＡ部分断面拡大図である。
【図３】再生装置にクリーニングディスクを挿入する状態を示す斜視図である。
【図４】クリーニングディスクの実施例を示す平面図である。
【図５】クリーニングディスクの実施例を示す平面図である。
【発明を実施するための形態】
【０００７】クリーニングディスクを回転させず、又挿入口の誤挿入防止用ガードの干渉を受けずに済むよう、反復運動させクリーニングする操作用部材をディスク外端より中心部に寄った部位へディスクと嵌合させ，該操作用部材の一端を指で保持し支点を可動軸とし左右に動かすことにより、光ピックアップレンズのクリーニングを実現した。
【実施例】
【０００８】図１は本発明のクリーニングディスク１を示すもので、光りピックアップレンズに対面する側に清掃部材２を１つ又は複数設け、該クリーニングディスク１を扇状に稼働させるために再生装置挿入口より外部へ飛び出す長さを有した平板状操作用部材３を設け、該平板状操作用部材３の先端部に一対に設けた可働軸４が、クリーニングディスク１の外周部近傍の一部を、一定の深さを持った逆Ｖ字状ストッパー５を設けた部分に、支点として嵌合させ対面となるクリーニングディスク１外周先端部に、ディスク挿入記号６が表示構成されている。【０００９】図２は、本発明のクリーニングディスク１の可動軸４と逆Ｖ字状ストッパー５中心部分のＡＡ断面を示すもので、平板状操作用部材３の可動軸４はハトメ形状に形成している。【００１０】図３〜図５は本発明の実施例を示すものでクリーニングディスク１の平板状操作部材３を手前にして軽く指で持ち該クリーニングディスク１の表示記号６部分を再生装置７のディスク挿入孔８より挿入し、再生装置７の挿入孔８より飛び出している前記クリーニングディスク１の、平板状操作部材３を左右に移動させる事によりクリーニングディスク１に取付けられた清掃部材が一定範囲の回転動作をし、光ピックアップレンズ９のクリーニングを可能にしている。
【符号の説明】
【００１１】１：クリーニングディスク
２：清掃部材
３：平板状操作部材
４：可動軸
５：逆Ｖ字状ストッパー
６：ディスク挿入記号
７：再生装置
８：ディスク挿入孔
９：光ピックアップレンズ
【図１】
2020042891.tif 000003
【図２】
2020042891.tif 000004
【図３】
2020042891.tif 000005
【図４】
2020042891.tif 000006
【図５】
2020042891.tif 000007